(57)【要約】      （修正有）【課題】振出式や並継式で連結される複数の竿体を備える釣竿であって、穂先部における釣糸の巻き付きを抑制しながらも、竿元から穂先まで竿体内部を釣糸が挿通する一般的な中通し式の釣竿と比べて、釣糸の挿通が容易で釣竿内部が汚れ難い釣竿を提供する。【解決手段】釣竿１は、最も穂先側の竿体１０である１番竿１１から、２番竿１２、…と複数の竿体１０が振出式又は並継式で連結されている。１番竿１１は２番竿１２との連結部２１で着脱可能に連結されており、前記連結部２１の側部に釣糸導入孔５１が開設されており、２番竿１２の穂先側先端部分の内部に止水栓が設けてある。釣糸Ｌは、釣竿１の外周に配設された外ガイド２に挿通され、釣糸導入孔５１から竿体内部へ入り、釣竿１の穂先となる１番竿１１の穂先から外部へ引き出される。【選択図】図１
2019041740.tif 000002
【特許請求の範囲】
【請求項１】
複数本の竿体を連結し釣糸を挿通可能な外ガイドを外周に配設した竿体を備える釣竿であって、
第１の竿体の竿元側に第２の竿体の穂先側を挿入して連結する連結部を有し、
前記連結部の穂先側側面に釣糸導入孔を設け、
前記第２の竿体の穂先側先端部の竿体内部、または、
前記連結部内部の前記第２の竿体の穂先側先端部と前記釣糸導入孔の間に止水栓を設け、
各竿体を連結した状態で前記釣糸導入孔から穂先まで竿体内部は釣糸を挿通可
能な中空に形成されており、
前記第1の竿体と前記第２の竿体は前記連結部で着脱可能に連結した
ことを特徴とする釣竿。                      
【請求項２】
複数本の竿体を連結し釣糸を挿通可能な外ガイドを外周に配設した竿体を備え
る釣竿であって、
第２の竿体の穂先側に第１の竿体の竿元側を挿入して連結する連結部を有し、
前記連結部の竿元側側面に釣糸導入孔を設け、
前記釣糸導入孔よりも第２の竿体の竿元側内部に止水栓を設け、
各竿体を連結した状態で前記釣糸導入孔から穂先まで竿体内部は釣糸を
挿通可能な中空に形成されており、
前記第1の竿体と前記第２の釣竿は前記連結部で着脱可能に連結した
ことを特徴とする釣竿。
【請求項３】
請求項２記載の釣竿であって、
第１の竿体の竿元側先端部の竿体内部に止水栓を設け、
前記止水栓より穂先側の第１の竿体側面から竿元側端部まで切り欠いた第１
の釣糸導入孔を設け、
第２の竿体の穂先側に前記第１の竿体の竿元側を挿入して連結する連結部を
設け、
前記連結部に前記第１の竿体を挿入した状態で第１の釣糸導入孔と連通する
ように連結部側面に第２の釣糸導入孔を設け、
各竿体を連結した状態で前記第２の釣糸導入孔から穂先まで竿体内部は釣糸
を挿通可能な中空に形成されており、
前記第1の竿体と前記第２の釣竿は前記連結部で着脱可能に連結した
ことを特徴とする釣竿。
【請求項４】
請求項１から請求項３に記載のいずれかの釣竿であって、
前記第１の竿体は、開口した穂先を有する最も穂先側の竿体である
ことを特徴とする釣竿。
【請求項５】
請求項１から請求項４に記載のいずれかの釣竿であって、
第１の竿体よりも穂先側の竿体が複数本の竿体を振出式で連結する中通し式の振出式釣竿、
または、
第２の竿体よりも竿元側の竿体が複数本の竿体を振出式で連結する外ガイド付の振出式釣竿、
または、
第１の竿体よりも穂先側の竿体が複数本の竿体を振出式で連結する中通し式の振出式釣竿とするとともに、第２の竿体よりも竿元側の竿体が複数本の竿体を振出式で連結する外ガイド付の振出式釣竿、
とする、いずれか１つの釣竿であることを特徴とする釣竿。
【発明の詳細な説明】
【技術分野】
【０００１】
本発明は、中空の竿体内に釣糸を挿通させた中通しの竿体で穂先側を構成する竿体と、外周に配設した外ガイドに釣糸を挿通させた外ガイド付の竿体で竿元側を構成し、穂先側と竿元側の竿体を連結部で着脱可能に接合する複数本の竿体を連結する釣竿に関する。
【背景技術】
【０００２】
複数本からなる竿体を最も竿元側の筒状の竿体内に、穂先側に配置される竿体を収納した振出式釣竿が普及している。このような振出式釣竿は、各竿体の外周部に複数個の釣糸の外ガイドを配設した外ガイド付の振出式釣竿と、中空の各竿体内に釣り糸を挿通させた中通し式の振出式釣竿がある。これらの外ガイド付の振出式釣竿と中通し式の振出式釣竿とも、使用しない場合は、穂先側の竿体を竿元側の竿体内部に順次挿入して収納し、全長を短くコンパクトにできる。使用する場合は、最も穂先側の竿体を竿元側の竿体内部から引き出し、その後も順次複数本の竿体を引き出して連結し、一本の長い釣竿を構成する。外ガイド付の振出式釣竿においては、竿元に配設されたリールから外ガイドの孔に糸を通し穂先まで釣糸を案内する。一方、中通し式の振出式釣竿においては、竿元に配設されたリールから竿元の竿体側部に開けられた釣糸導入孔に糸を通し、各竿体内部を通って穂先まで釣糸を案内している。
同じく各竿体の外周部に複数個の釣糸の外ガイドを固定した外ガイド付のの釣竿として、使用しない場合は各竿体はバラバラに結束収納し、使用時には各竿体の連結部で各竿体の竿元側と穂先側を連結し、一本の長い釣竿を構成する並継式釣竿がある。この並継式釣竿はコンパクトではないが、硬く反発力があり大物釣りや遠投用に好まれている。
【先行技術文献】
【特許文献】
【０００３】
【特許文献１】特開平９−０５６２９９
【特許文献２】２００９−２９６９６４
【特許文献３】２０１７−０９３３７９
【発明の概要】
【発明が解決しようとする課題】
【０００４】
外ガイド付きの釣竿では、釣糸が弛んだ場合、外ガイドが竿体から突出しているため釣糸が外ガイドに絡まるというトラブルが発生することがしばしばある。特に、穂先又は穂先近傍の外ガイドに釣糸が巻き付き絡まる場合が多く、絡まるとリール操作ができず、竿先を手元に引き寄せて糸を解き解す必要があり、大変な手間であり、好釣果の折に糸が絡まると好機を逸してしまう事がある。
釣糸が絡まる原因の多くは外ガイドにあるため、外ガイドのない釣竿が開発され、竿元側から竿体の内部に釣糸を通し、穂先から釣糸を引き出す中通し式の釣竿が販売されている。
しかしながら、中通し式の釣竿にも課題がある。釣糸の挿通が難しい、釣り糸が濡れると釣糸が竿体の内壁に絡まり釣糸の出が悪くなり棚まで落とすのに時間がかかる、振出式の竿体を収納するときに竿体と竿体の間に釣り糸が挟まり竿体を収納できなく成り、無理に収納しようすると竿体を損傷してしまう不具合が生じる、竿体内部を水、塩水、ゴミが付着した釣糸が通過するので竿体内部が汚染される、しかし、竿体内部を洗浄するのが困難である等、管理上の問題もあった。
最近、前記課題を解決する釣竿として、中通し式竿体で穂先側を構成し外ガイド付の竿体で竿元側を構成した振出式釣竿も公表されているが、中通し式釣竿の課題である竿体内部の汚染や、竿体内部の洗浄の困難さ、釣糸が竿体の内壁に絡まる可能性等は解消されていない。
【０００５】
本発明はかかる課題に鑑みたものであり、外ガイド付の釣竿の穂先部における釣糸の巻付きを解決し、しかも、中通し式の振出式釣竿の各種課題を解決できる釣竿を提供するものである。
【課題を解決するための手段】
【０００６】
上記課題を解決するために、本願記載の請求項１の釣竿は、
複数本の竿体を連結し釣糸を挿通可能な外ガイドを外周に配設した竿体を備え
る釣竿であって、
第１の竿体の竿元側に第２の竿体の穂先側を挿入して連結する連結部を有し、
前記連結部に前記第２の竿体を挿入した状態で第２の竿体の穂先側先端部より第１の竿体の穂先側の連結部側面に釣糸導入孔を設け、
前記第２の竿体の穂先側先端部の竿体内部、または、
前記連結部内部の前記第２の竿体の穂先側先端部と前記釣糸導入孔の間に止水栓を設け、
各竿体を連結した状態で前記釣糸導入孔から穂先まで竿体内部は釣糸を挿通可
能な中空に形成されており、
前記第1の竿体と前記第２の竿体は前記連結部で着脱可能に連結した
ことを特徴とする。      
【０００７】
また、本願記載の請求項２の釣竿は、
複数本の竿体を連結し釣糸を挿通可能な外ガイドを外周に配設した竿体を備え
る釣竿であって、
第２の竿体の穂先側に第１の竿体の竿元側を挿入して連結する連結部を有し、
前記連結部に前記第１の竿体を挿入した状態で第１の竿体の竿元側先端部より
第２の竿体の竿元側の連結部側面に釣糸導入孔を設け、
前記釣糸導入孔よりも竿元側の竿体内部に止水栓を設け、
各竿体を連結した状態で前記釣糸導入孔から穂先まで竿体内部は釣糸を挿通可  
能な中空に形成されており、
前記第1の竿体と前記第２の釣竿は前記連結部で着脱可能に連結した
ことを特徴とする。
【０００８】
また、本願記載の請求項３の釣竿は、
第１の竿体の竿元側先端部の竿体内部に止水栓を設け、
前記止水栓より穂先側の第１の竿体側面から竿元側端部まで切り欠いた第１の釣糸導入孔を設け、
第２の竿体の穂先側に前記第１の竿体の竿元側を挿入して連結する連結部を
設け、
前記連結部に前記第１の竿体を挿入した状態で第１の釣糸導入孔と連通する
ように連結部側面の第２の釣糸導入孔を設け、
各竿体を連結した状態で前記釣糸導入孔から穂先まで竿体内部は釣糸を挿通
可能な中空に形成されており、
前記第1の竿体と前記第２の釣竿は前記連結部で着脱可能に連結した
ことを特徴とする。
【０００９】
また、本願記載の請求項４の釣竿は、
請求項１から請求項３に記載のいずれかの釣竿であって、
前記第１の竿体は開口した穂先を有する最も穂先側の竿体である
ことを特徴とする。
【００１０】
また、本願記載の請求項５の釣竿は、
請求項１から請求項４に記載のいずれかの釣竿であって、
第１の竿体よりも穂先側の竿体が複数本の竿体を振出式で連結する中通し式の振出式釣竿、
または、
第２の竿体よりも竿元側の竿体が複数本の竿体を振出式で連結する外ガイド付の振出式釣竿、
または、
第１の竿体よりも穂先側の竿体が複数本の竿体を振出式で連結する中通し式の振出式釣竿とするとともに、第２の竿体よりも竿元側の竿体が複数本の竿体を振出式で連結する外ガイド付の振出式釣竿、
とした、いずれか１つの釣竿であることを特徴とする。
【発明の効果】
【００１１】
本発明に係る釣竿は、リールから穂先側の手前の竿体まで外ガイドに釣り糸を通し、その後、第１の竿体、第２の竿体や連結部の側部に開設された釣糸導入孔から穂先部までの間は竿体内部に釣糸を挿通する。これにより、穂先側の竿体は外ガイドを有しないので、穂先側の竿体での釣糸の巻付きを防止できる。
また、竿元から穂先側の手前の竿体まで外ガイドに釣糸を通しており、竿元から穂先まで竿体内部を釣糸が挿通する一般的な中通し式の釣竿と比べて、釣糸導入孔から穂先の開口部までの距離は遥かに短く、竿体内部に釣糸を挿通する障害物も無いため、釣糸の挿通が容易である。釣糸導入孔の直ぐ竿元側の竿体内部には止水栓を設けているため、釣糸に付着した水、塩水、ゴミは水や塩水と共に釣糸導入孔から外に排出され、止水栓よりも竿元側の竿体内部に浸入するのを防止でき、竿体内部が汚染されるのを防止できる。また、穂先側の竿体は竿元側の竿体と容易に着脱できるので、穂先側の中通し式の竿体を竿元側の竿体から取り外し、竿体内部を穂先の開口部と竿元側の開口部または釣糸導入孔間で容易に洗浄することが出来る等、管理上の優れた効果も有する。
【図面の簡単な説明】
【００１２】
【図１】本発明に係る釣竿の外観の一例を示す概略外観図である。
【図２】本発明の第１の実施例に係る連結部の一例の一部を拡大して示す模式図である。
【図３】本発明の第１の実施例に係る連結部の一例の一部を拡大して示す模式図で連結管を使用している。
【図４】本発明の第２の実施例に係る連結部の一例の一部を拡大して示す模式図である。
【図５】本発明の第２の実施例に係る連結部の一例の一部を拡大して示す模式図で連結管を使用している。
【図６】本発明の第３の実施例に係る連結部の一例の一部を拡大して示す模式図である。
【図７】本発明の第３の実施例に係る連結部の一例の一部を拡大して示す模式図で連結管を使用している。
【発明を実施するための形態】
【００１３】
以下、本発明の実施形態について図面を参照しながら説明する。ただし、以下に示す実施形態は、本発明の技術思想を具現化した釣竿を例示するものであって、本発明の技術的範囲を限定する性格のものではない。
【００１４】
ここで連結部について説明する。本発明の実施形態では、連結方法として並継、逆並継で説明している。竿体に釣糸導入孔を開設することにより竿体の釣糸導入孔近傍の強度は低下する。この強度低下を補強するため、連結部を有する竿体の内径は挿入竿体を受け入れる近傍まで穂先側または竿元側の内径の延長線上にあり、竿体外径は釣糸導入孔を超えるまで連結部とほぼ同一の外径とし、竿体の肉厚を厚くして強度を増大させている。本明細書では、連結部とほぼ同一の外径を有する範囲を連結部と称している。
【００１５】
図１は、本発明に係る釣竿１の外観の一例を示す概略外観図である。図１（ａ）は、釣竿１の全体の外観を側面から示し、図１（ｂ）は、釣竿１の穂先近傍の外観を示している。図１に示す釣竿１は、１番竿１１と２番竿１２は連結部２１を介して着脱自由に連結されているが、２番竿１２から６番竿１６までは、所謂、振出竿であり、長尺円筒状をなす複数の竿体１０を順次振出式に連結して構成されている。釣竿１は、全体として竿元側から穂先側にかけて細くなるようにテーパー状に構成されている。穂先に位置する１番竿１１は、最小径の竿体１０であり、１番竿１１の竿元側に連結される２番竿１２は、１番竿１１より大径となるように構成され、更に２番竿１２の竿元側に連結される３番竿１３は、２番竿１２より大径となるように構成されている。このように、図１に例示する釣竿１は、穂先の１番竿１１から竿元の６番竿１６まで６本の竿体１０を順次連結して１本になるように構成されている。なお、竿体１０の本数等の構成は適宜設計することが可能である。
【００１６】
このように構成された釣竿は、穂先側に位置する２番竿１２を竿元側の６番竿１６内部から順次引き出した振出状態とすることにより長尺の釣竿となり、１番竿１１を２番竿１２と連結部２１で連結することにより完全な一本の釣竿１として使用することができる。そして、使用しない場合、１番竿１１は２番竿１２から連結部２１で取り外し、穂先側の２番竿１２から５番竿１５までを竿元側の６番竿１６の内部に順次挿入して収納することにより、全長を短くコンパクトにすることができる。２番竿１２から連結部２１で取り外した１番竿１１は振出式の竿体とは別の竿として収納される。
【００１７】
釣竿１を構成する２番竿１２から６番竿１６までの各竿体１０には、穂先側の部位の外周に外ガイド２が配設されており、更に、６番竿１６の外周には、釣糸Ｌを巻き取るリール３が配設されている。図１（ｂ）に示すように１番竿１１と２番竿１２の連結部２１の側部にあたる外周部分には、釣糸導入孔５１が開設されている。リール３から引き出された釣糸Ｌは、６番竿１６に配設された外ガイド２から２番竿１２に配設された外ガイド２まで順次挿通して案内され、更に、１番竿１１と２番竿１２の連結部に設けられた釣糸導入孔５１を挿通し、１番竿１１の竿体内部を通り、穂先先端部２０から外部へと引き出される。長尺円筒状をなす各竿体の内部は、穂先側の竿体を収納できるように中空に形成されている。穂先先端部２０から外部へ延伸される釣糸Ｌの先端部分には釣り針、錘等の図示しない仕掛けが結着されている。
【００１８】
図２は、本発明に係る釣竿１の連結部の一例の一部を拡大して示す概略外観図で、釣竿１の１番竿１１の竿元側に連結部２１が設けられており、Ｚは連結部２１の範囲を示しており、Ｙが２番竿１２の穂先側の挿入部、Ｘが連結部２１の前記挿入部Ｙを指し込む部分を拡大して示している。Ｘ寸法とＹ寸法はほぼ同一長さである。２番竿１２の穂先側のＹ部分が１番竿１１の竿元側に設けられた連結部２１の内径側のＸ部分に挿入され、１番竿１１の竿元側と２番竿１２の穂先側とが重畳して連結される。
【００１９】
２番竿１２の穂先側先端部の竿体内部に止水栓３２を設け、前記連結部２１に２番竿１２を挿入した状態で、２番竿１２の穂先側先端部より１番竿１１の穂先側よりの連結部側面に釣糸導入孔５１を設けている。
釣糸導入孔５１は、軸方向（釣竿１の長手方向）の内径が周方向の内径より長い長円状に形成されている。そして、釣糸導入孔５１の開口部は、釣糸Ｌとの摩擦による損耗を防止すべく、開口部に適合する長円状をなし、金属、樹脂等の材料で形成された補強部材の嵌着等の加工がなされている。なお、釣糸導入孔５１は長円形に限らず、円形、楕円形等適宜設計することが可能であるが、長円形としたほうが、釣糸Ｌが釣糸導入孔５１を通るときの抵抗を小さくできる。
前記釣糸導入孔５１は、非常に重要な部材であり、釣糸Ｌが数え切れないくらい往復に流通するので、磨耗に対して十分な強度と構造とする必要がある。１番竿１１は振出式の竿を構成せず２番竿と着脱自在な構成とすることは、釣糸導入孔５１を必要な厚さと大きさを有する構造とすることができ、材料も硬度等の優れたものを選択できるメリットがある。
【００２０】
図２（ｂ）に示すように、釣糸導入孔５１の直近の竿元側に２番竿１２の穂先側端部の竿体内部に止水栓３２を配設している。釣糸Ｌを巻き取るとき、釣糸Ｌには水または塩水やゴミが付着して巻き取られてくる。これらの水または塩水やゴミは竿体内部に浸入し、竿体内部を汚染する。しかし、２番竿１２の穂先側先端に止水栓３２を設けているので、釣糸Ｌに付着した水または塩水やゴミは水または塩水と一緒に釣糸導入孔５１から外に排出され、止水栓３２よりも竿元側の竿体内部に進入するのを防止できるので竿体内部は汚染されない。また、１番竿１１の竿体内部は水または塩水やゴミが通るが、穂先先端部２０と１番竿１１の竿元側開口部の間隔は短く、段差や障害物もないので、真水で容易に洗浄することが出来き、竿体内部を綺麗に保つことができる。
【００２１】
また、図２（ｃ）に示すように、１番竿１１の釣糸導入孔５１より竿元側の竿体内部に止水栓３１を設けてもよい。この場合も、図２（ｂ）で説明したのと同様に止水栓３１よりも竿元側の竿体内部への汚染物の侵入は防止され、１番竿１１の竿体内部も容易に洗浄することができる。
【００２２】
竿体同士の連結には、並継、逆並継、印籠継、逆印籠継等の各種の連結方法があるが、別段どの方法を取っても構わない。図２の実施例では連結部２１を１番竿１１と一体化された形状で示したが、図３に示すように１番竿１１に連結管１２１を固着して連結部を構成しても良い。この場合、１番竿１１と連結管１２１に開設された釣糸導入孔１５１と釣糸導入孔１５３は、釣糸Ｌを挿通可能に連通している。
【００２３】
図４は、本発明に係る釣竿１の連結部の一例の一部を拡大して示す概略外観図で、釣竿１の２番竿１２の穂先側に連結部２２が設けられており、Ｚは連結部２１の範囲を示しており、Ｘが１番竿１１の竿元側の挿入部、Ｙが連結部２２の前記挿入部Ｘを指し込む部分を拡大して示している。１番竿１１の竿元側のＸ部分が、２番竿１２の穂先側に設けられた連結部２２の内側のＹ部分に挿入され、１番竿１１の竿元側と２番竿１２のの穂先側とが重畳して連結される。
【００２４】
２番竿１２の穂先側の竿体内部に止水栓３２を設け、前記連結部２２に１番竿１１を挿入した状態で、１番竿１１の竿元側先端部より２番竿１２の竿元側の連結部２２側面に釣糸導入孔５２を設けている。前記止水栓３２は前記釣糸導入孔５２より竿元側の直近に設けている。
この釣糸導入孔５２は、前記釣糸導入孔５１と同様な形状、材質、構造としている。
【００２５】
図４（ｂ）に示すように、２番竿１２の穂先側の竿体内部に止水栓３２を設けている。この場合も、図２（ｂ）で説明したのと同様に止水栓３２よりも竿元側の竿体内部の汚染は防止され、１番竿１１の竿体内部を容易に洗浄することができる。また、２番竿１２の止水栓３２より穂先側の寸法はごく短いので容易に洗浄でき、穂先側の開口部から水を注入しても釣糸導入孔５２から容易に放出される。
【００２６】
図４の実施例では連結部２２を２番竿１２と一体化された形状で示したが、図５に示すように２番竿１２に連結管１２２を固着して連結部を構成しても良い。この場合、２番竿１２と連結管１２２に開設された釣糸導入孔１５２と釣糸導入孔１５４は、釣糸Ｌを挿通可能に連通している。
【００２７】
図６は、本発明に係る釣竿１の連結部の一例の一部を拡大して示す概略外観図で、釣竿１の２番竿１２の穂先側に連結部２２が設けられており、Ｘが１番竿１１の竿元側の挿入部、Ｙが連結部２２の前記挿入部Ｘを指し込む部分を拡大して示している。１番竿１１の竿元側のＸ部分が、２番竿１２の穂先側に設けられた連結部２２の内側のＹ部分に挿入され、１番竿１１の竿元側と２番竿１２のの穂先側とが重畳して連結される。
【００２８】
釣糸導入孔５４は、１番竿１１を連結部２２から引き抜いて収納する場合、釣糸Ｌを取り外して収納する場合は長孔でも良いが、釣糸Ｌを付けたまま収納する場合を考慮し、Ｕ字形で竿元側端部に開口部を設ける形で切り開いている。この事により、釣糸Ｌを付けたまま１番竿１１を引き抜いたり挿入したりしても、釣糸導入孔５４のＵ字形切り開き部は１番竿１１竿元側端部まで切り開かれているので、釣糸Ｌは釣糸導入孔５４の切り開き部に入り込み、竿体と竿体の間に釣り糸が挟まり竿体を収納できなく成ることは無い。
【００２９】
１番竿１１竿元側先端部には止水栓３１が固着されており、竿元側端部が切り開かれていても止水栓３１により連結されているので強度上の問題は生じない。
前記連結部２２に１番竿１１を挿入した状態において、１番竿１１の釣糸導入孔５４と連通するように２番竿１２の連結部２２の側面に釣糸導入孔５３を設けている。釣糸導入孔５４は釣糸導入孔５３より大きくすることが望ましい。１番竿１１を接合部２２に挿入した場合に釣糸導入孔５４と釣糸導入孔５３を重畳させる印として、１番竿１１の外周と連結部２２の外周に夫々の釣糸導入孔５４，５３の位置を示す接合マーク４１、４２が印されている。前記止水栓３１は前記釣糸導入孔５３より竿元側の直近に配設され、前記釣糸導入孔５１と同様な材質と構造としている。
【００３０】
図６（ｂ）に示すように、１番竿１１の竿元側先端部の竿体内部に止水栓３１を設けていので、図２（ｂ）で説明したのと同様に止水栓３１より竿元側の竿体内部の汚染は防止され、１番竿１１の竿体内部を容易に洗浄することができる。
なお、２番竿の穂先側に取付けられる釣糸Ｌの外ガイド２は、抜け落ちる心配がないので２番竿１２に固着されていない。
【００３１】
前記実施例では連結部２２を２番竿１２と一体化された形状で示したが、図７に示すように２番竿１２に連結管１２２を固着して連結部を構成しても良い。この場合、１番竿１１と連結管１２２に開設された釣糸導入孔５４と釣糸導入孔１５５は、釣糸Ｌを挿通可能に連通しており、釣糸導入孔５４は釣糸導入孔１５５より大きくすることが望ましい。
【００３２】
これまでは連結部より穂先側の竿体は１本の竿体で構成される釣竿について説明してきたが、複数本の中通し式振出釣竿で構成してもよい。また、連結部より竿元側を複数本の外ガイド付の振出釣竿としたり、連結部より穂先側を複数本の中通し式振出釣竿とするとともに連結部より竿元側を複数本の外ガイド付の振出釣竿としてもよいのは言うまでもない。
いずれの場合も、釣竿を中通し式振出釣竿と外ガイド付の振出釣竿の２組の竿体としてコンパクトに収納できる。
【００３３】
以上のように構成された上述の釣竿１は、穂先側近傍に外ガイド２が配設されていないため、従来の外ガイド付の釣竿と比べ、釣糸Ｌが外ガイド２に絡まるというトラブルの発生を抑制する等の効果を奏する。特に、釣糸Ｌは穂先側近傍の外ガイド２に絡まり易いため、穂先側の竿体の外ガイド２を排除した効果は顕著である。また、上述の釣竿１は、接合部から穂先側の竿体、実質的には１番竿１１のみの内部に釣糸Ｌを挿通するため、ほぼ全ての竿体１０の内部に釣糸Ｌを挿通させる従来の中通し式の釣竿と比べ、釣糸Ｌの挿通が容易である等の効果を奏する。
また、上述の釣竿１は、従来の中通し式の釣竿と比べ、竿体１０の引き出し及び収納の際に、釣糸Ｌが竿体１０内で釣糸Ｌ自体が絡まったり、連結する竿体と竿体の隙間に釣糸Ｌが噛み込むというトラブルの発生は無く、各竿体１０の引き出し及び収納作業が容易である等の効果を奏する。釣糸Ｌが海水に濡れた場合等の竿体１０内部に釣糸Ｌが張り付き難く、餌を釣棚まで落下させる速度においても有効である。
【００３４】
本発明は、以上説明した実施形態に限定されるものではなく、他のいろいろな形態で実施することが可能である。そのため、上述した実施形態はあらゆる点で単なる例示にすぎず、限定的に解釈してはならない。
【符号の説明】
【００３５】
１    釣竿
２    外ガイド
３    リール
Ｌ    釣糸
１０  竿体
１１，１２，…，１６    １番竿、２番竿、・・・、６番竿
２０  穂先先端部
２１  １番竿の連結部
２２  ２番竿の連結部
３１  １番竿の止水栓
３２  ２番竿の止水栓
４１  １番竿側の接合マーク
４２  ２番竿側の接合マーク
５１  １番竿接合部の釣糸導入孔
５２  ２番竿接合部の釣糸導入孔
５３  ２番竿接合部の釣糸導入孔
５４  １番竿の釣糸導入孔
１２１  １番竿の連結管
１２２  ２番竿の連結管
１５１  １番竿の釣糸導入孔
１５２  ２番竿の釣糸導入孔
１５３  連結管の釣糸導入孔
１５４  連結管の釣糸導入孔
１５５  連結管の釣糸導入孔
【図１】
2019041740.tif 000003
【図２】
2019041740.tif 000004
【図３】
2019041740.tif 000005
【図４】
2019041740.tif 000006
【図５】
2019041740.tif 000007
【図６】
2019041740.tif 000008
【図７】
2019041740.tif 000009
【手続補正書】
【提出日】平成29年9月13日(2017.9.13)
【手続補正１】
【補正対象書類名】図面
【補正対象項目名】図２
【補正方法】変更
【補正の内容】
【図２】
2019041740.tif 000010
【手続補正２】
【補正対象書類名】図面
【補正対象項目名】図３
【補正方法】変更
【補正の内容】
【図３】
2019041740.tif 000011
【手続補正３】
【補正対象書類名】図面
【補正対象項目名】図５
【補正方法】変更
【補正の内容】
【図５】
2019041740.tif 000012
【手続補正４】
【補正対象書類名】図面
【補正対象項目名】図７
【補正方法】変更
【補正の内容】
【図７】
2019041740.tif 000013
【手続補正書】
【提出日】平成30年9月12日(2018.9.12)
【手続補正１】
【補正対象書類名】特許請求の範囲
【補正対象項目名】全文
【補正方法】変更
【補正の内容】
【特許請求の範囲】
【請求項１】
複数本の竿体を連結した釣竿であって、
第１の竿体の竿元側に第２の竿体の穂先側を挿入して連結する連結部を有し、
前記連結部の穂先側側面に釣糸導入孔を設け、
前記第２の竿体の穂先側先端部の竿体内部に止水栓を設け、
前記第1の竿体と前記第２の竿体は前記連結部で着脱可能に連結し、                
各竿体を連結した状態で前記釣糸導入孔から穂先まで竿体内部は釣糸を
挿通可能な中空に形成されており、
前記釣糸導入孔より竿元側に接続される竿体は釣糸を挿痛可能な外ガイドを        
外周部に配設した
ことを特徴とする釣竿。                      
【請求項２】
複数本の竿体を連結した釣竿であって、
第１の竿体の竿元側先端部の竿体内部に止水栓を設け、
前記止水栓より穂先側の竿体側面から竿元側端部まで切り欠いた第１
の釣糸導入孔を設け、
第２の竿体の穂先側に前記第１の竿体の竿元側を挿入して連結する連結部を
設け、
前記連結部に前記第１の竿体を挿入した状態で第１の釣糸導入孔と連通する
ように連結部側面に第２の釣糸導入孔を設け、
前記第1の竿体と前記第２の竿体は前記連結部で着脱可能に連結し、
各竿体を連結した状態で前記第２の釣糸導入孔から穂先まで竿体内部は釣糸
を挿通可能な中空に形成されており、
前記第２の釣糸導入孔より竿元側に接続される竿体は釣糸を挿痛可能な外ガイドを
外周部に配設した、
ことを特徴とする釣竿。
【請求項３】
請求項１または請求項２に記載のいずれかの釣竿であって、
前記第１の竿体は、開口した穂先を有する最も穂先側の竿体である
ことを特徴とする釣竿。
【請求項４】
請求項１または請求項２に記載のいずれかの釣竿であって、
第１の竿体から穂先側の釣竿は複数本の竿体を振出式で連結する中通し式の振出式釣竿、
または、
第２の竿体から竿元側の釣竿は複数本の竿体を振出式で連結する外ガイド付の振出式釣竿、
または、
第１の竿体から穂先側の釣竿は複数本の竿体を振出式で連結する中通し式の振出式釣竿とするとともに、第２の竿体から竿元側の釣竿は複数本の竿体を振出式で連結する外ガイド付の振出式釣竿、
の  いずれか１つの釣竿であることを特徴とする釣竿。
【請求項５】
請求項１または請求項２に記載のいずれかの釣竿であって、
第１の竿体は開口した穂先を有する最も穂先側の竿体で、
第２の竿体から竿元側の釣竿は複数本の竿体を振出式で連結する外ガイド付の振出式釣竿、
とすることを特徴とする釣竿。
【手続補正２】
【補正対象書類名】明細書
【補正対象項目名】０００６
【補正方法】変更
【補正の内容】
【０００６】
上記課題を解決するために、本願記載の請求項１の釣竿は、
複数本の竿体を連結した釣竿であって、
第１の竿体の竿元側に第２の竿体の穂先側を挿入して連結する連結部を有し、
前記連結部の穂先側側面に釣糸導入孔を設け、
前記第２の竿体の穂先側先端部の竿体内部に止水栓を設け、
前記第1の竿体と前記第２の竿体は前記連結部で着脱可能に連結し、                各竿体を連結した状態で前記釣糸導入孔から穂先まで竿体内部は釣糸を
挿通可能な中空に形成されており、
前記釣糸導入孔より竿元側に接続される竿体は釣糸を挿痛可能な外ガイドを        
外周部に配設した
ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、本願記載の請求項２の釣竿は、
複数本の竿体を連結した釣竿であって、
第１の竿体の竿元側先端部の竿体内部に止水栓を設け、
前記止水栓より穂先側の竿体側面から竿元側端部まで切り欠いた第１
の釣糸導入孔を設け、
第２の竿体の穂先側に前記第１の竿体の竿元側を挿入して連結する連結部を
設け、
前記連結部に前記第１の竿体を挿入した状態で第１の釣糸導入孔と連通する
ように連結部側面に第２の釣糸導入孔を設け、
前記第1の竿体と前記第２の竿体は前記連結部で着脱可能に連結し、
各竿体を連結した状態で前記第２の釣糸導入孔から穂先まで竿体内部は釣糸
を挿通可能な中空に形成されており、
前記釣糸導入孔より竿元側に接続される竿体は釣糸を挿痛可能な外ガイドを
外周部に配設した、
ことを特徴とする。
【手続補正５】
【補正対象書類名】明細書
【補正対象項目名】０００９
【補正方法】変更
【補正の内容】
【０００９】
また、本願記載の請求項３の釣竿は、
請求項１または請求項２に記載のいずれかの釣竿であって、
前記第１の竿体は、開口した穂先を有する最も穂先側の竿体である
ことを特徴とする。
【手続補正６】
【補正対象書類名】明細書
【補正対象項目名】００１０
【補正方法】変更
【補正の内容】
【００１０】
また、本願記載の請求項４の釣竿は、
請求項１または請求項２に記載のいずれかの釣竿であって、
第１の竿体から穂先側の釣竿は複数本の竿体を振出式で連結する中通し式の振出式釣竿、
または、
第２の竿体から竿元側の釣竿は複数本の竿体を振出式で連結する外ガイド付の振出式釣竿、
または、
第１の竿体から穂先側の釣竿は複数本の竿体を振出式で連結する中通し式の振出式釣竿とするとともに、第２の竿体から竿元側の釣竿は複数本の竿体を振出式で連結する外ガイド付の振出式釣竿、
の   いずれか１つの釣竿であることを特徴とする。
また、本願記載の請求項５の釣竿は、
請求項１または請求項２に記載のいずれかの釣竿であって、
第１の竿体は開口した穂先を有する最も穂先側の竿体で、
第２の竿体から竿元側の釣竿は複数本の竿体を振出式で連結する外ガイド付の振出式釣竿、
とすることを特徴とする。
【手続補正７】
【補正対象書類名】明細書
【補正対象項目名】００１２
【補正方法】変更
【補正の内容】
【００１２】
図１  本発明に係る釣竿の外観の一例を示す概略外観図である。
図２  明の第１の実施例に係る連結部の一例の一部を拡大して示す模式図である。
図３  本発明の第１の実施例に係る連結部の一例の一部を拡大して示す模式図で
連結管を使用している。
図４  連結部の一例の一部を拡大して示す模式図である。
図５  連結部の一例の一部を拡大して示す模式図で連結管を使用している。
図６  本発明の第２の実施例に係る連結部の一例の一部を拡大して示す模式図である。
図７  本発明の第２の実施例に係る連結部の一例の一部を拡大して示す模式図で連結管   
を使用している。
【手続補正８】
【補正対象書類名】明細書
【補正対象項目名】００２３
【補正方法】変更
【補正の内容】
【００２３】
図４は、釣竿１の連結部の一例の一部を拡大して示す概略外観図で、釣竿１の２番竿１２の穂先側に連結部２２が設けられており、Ｚは連結部２１の範囲を示しており、Ｘが１番竿１１の竿元側の挿入部、Ｙが連結部２２の前記挿入部Ｘを指し込む部分を拡大して示している。１番竿１１の竿元側のＸ部分が、２番竿１２の穂先側に設けられた連結部２２の内側のＹ部分に挿入され、１番竿１１の竿元側と２番竿１２のの穂先側とが重畳して連結される。
【手続補正９】
【補正対象書類名】明細書
【補正対象項目名】００２９
【補正方法】変更
【補正の内容】
【００２９】
１番竿１１の竿元側先端部には止水栓３１が固着されており、竿元側端部が切り開かれていても止水栓３１により連結されているので強度上の問題は生じない。
前記連結部２２に１番竿１１を挿入した状態において、１番竿１１の釣糸導入孔５４と連通するように２番竿１２の連結部２２の側面に釣糸導入孔５３を設けている。釣糸導入孔５４は釣糸導入孔５３より大きくすることが望ましい。１番竿１１を接合部２２に挿入した場合に釣糸導入孔５４と釣糸導入孔５３を重畳させる印として、１番竿１１の外周と連結部２２の外周に夫々の釣糸導入孔５４，５３の位置を示す接合マーク４１、４２が印されている。前記止水栓３１は前記釣糸導入孔５３より竿元側の直近に配設されている。
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
複数本の竿体を連結した釣竿であって、
第１の竿体の竿元側に第２の竿体の穂先側を挿入して連結する連結部を有し、
前記連結部の穂先側側面に釣糸導入孔を設け、
前記第２の竿体の穂先側先端部の竿体内部に止水栓を設け、
前記第1の竿体と前記第２の竿体は前記連結部で着脱可能に連結し、                            
各竿体を連結した状態で前記釣糸導入孔から穂先まで竿体内部は釣糸を
挿通可能な中空に形成されており、
前記釣糸導入孔より竿元側に接続される竿体は釣糸を挿通可能な外ガイドを        
外周部に配設した
ことを特徴とする釣竿。                      
【請求項２】
複数本の竿体を連結した釣竿であって、
第１の竿体の竿元側先端部の竿体内部に止水栓を設け、
前記止水栓より穂先側の竿体側面から竿元側端部まで切り欠いた第１
の釣糸導入孔を設け、
第２の竿体の穂先側に前記第１の竿体の竿元側を挿入して連結する連結部を
設け、
前記連結部に前記第１の竿体を挿入した状態で第１の釣糸導入孔と連通する
ように連結部側面に第２の釣糸導入孔を設け、
前記第1の竿体と前記第２の竿体は前記連結部で着脱可能に連結し、
各竿体を連結した状態で前記第２の釣糸導入孔から穂先まで竿体内部は釣糸
を挿通可能な中空に形成されており、
前記釣糸導入孔より竿元側に接続される竿体は釣糸を挿通可能な外ガイドを        
外周部に配設した、
ことを特徴とする釣竿。
【請求項３】
請求項１または請求項２に記載のいずれかの釣竿であって、
前記第１の竿体は、開口した穂先を有する最も穂先側の竿体である
ことを特徴とする釣竿。
【請求項４】
請求項１または請求項２に記載のいずれかの釣竿であって、
第１の竿体から穂先側の釣竿は複数本の竿体を振出式で連結する中通し式の振出式釣竿、
または、
第２の竿体から竿元側の釣竿は複数本の竿体を振出式で連結する外ガイド付の振出式釣竿、
または、
第１の竿体から穂先側の釣竿は複数本の竿体を振出式で連結する中通し式の振出式釣竿とするとともに、第２の竿体から竿元側の釣竿は複数本の竿体を振出式で連結する外ガイド付の振出式釣竿、
の  いずれか１つの釣竿であることを特徴とする釣竿。
【請求項５】
請求項１または請求項２に記載のいずれかの釣竿であって、
第１の竿体は開口した穂先を有する最も穂先側の竿体で、
第２の竿体から竿元側の釣竿は複数本の竿体を振出式で連結する外ガイド付の振出式釣竿、
とすることを特徴とする釣竿。
【手続補正２】
【補正対象書類名】明細書
【補正対象項目名】０００６
【補正方法】変更
【補正の内容】
【０００６】
上記課題を解決するために、本願記載の請求項１の釣竿は、
複数本の竿体を連結した釣竿であって、
第１の竿体の竿元側に第２の竿体の穂先側を挿入して連結する連結部を有し、
前記連結部の穂先側側面に釣糸導入孔を設け、
前記第２の竿体の穂先側先端部の竿体内部に止水栓を設け、
前記第1の竿体と前記第２の竿体は前記連結部で着脱可能に連結し、                            
各竿体を連結した状態で前記釣糸導入孔から穂先まで竿体内部は釣糸を
挿通可能な中空に形成されており、
前記釣糸導入孔より竿元側に接続される竿体は釣糸を挿通可能な外ガイドを        
外周部に配設した
ことを特徴とする。